(57)【要約】【課題】イベント情報を含んだスポット情報をユーザに効率的に配信する。【解決手段】情報配信端末１０は、所定のスポットで開催される期間限定のイベントに関するイベント情報を取得するイベント情報取得部１２と、イベントの開始日および終了日のうち少なくとも一方に対し一定日時前の日付を、当該イベントが開催されるスポットの通知日として設定する通知日設定部１３と、設定された通知日が現在日時以前であるスポットを、当該スポットで開催されるイベント情報とともに、通知日が新しい順に、表示するよう制御するスポット表示制御部１５と、を備える。【選択図】図１
2014238759.tif 000002
【特許請求の範囲】
【請求項１】
所定のスポットで開催される期間限定のイベントに関するイベント情報を取得するイベント情報取得部と、
前記イベントの開始日および終了日のうち少なくとも一方に対し一定日時前の日付を、当該イベントが開催されるスポットの通知日として設定する通知日設定部と、
設定された通知日が現在日時以前であるスポットを、当該スポットで開催されるイベント情報とともに、通知日が新しい順に、表示するよう制御するスポット表示制御部と、
を備える情報配信システム。
【請求項２】
前記情報配信システムは、
ソーシャルネットワーキングサービスにおいて、利用ユーザに対し所定の親しい関係にある他のユーザによって投稿された、特定のスポットへの訪問日時を含む訪問情報を取得する訪問情報取得部、
をさらに備え、
前記イベント情報取得部は、前記訪問情報取得部により訪問情報が取得されたスポットで開催される前記イベント情報を取得し、
前記スポット表示制御部は、前記訪問情報取得部により訪問情報が取得されたスポットを、当該スポットで開催されるイベント情報とともに、現在日時以前である通知日又は訪問日時が新しい順に、表示するよう制御する、
請求項１に記載の情報配信システム。
【請求項３】
前記情報配信システムは、
利用ユーザの現在地又は利用ユーザにより指定された任意の指定位置を基準位置として設定する基準位置設定部、
をさらに備え、
前記スポット表示制御部は、表示されるスポットを、前記基準位置設定部により設定された基準位置から所定距離の範囲内又は予め定められた区画分けにおいて当該基準位置と同じ区画に含まれるスポットに限定するよう制御する、
請求項１又は２に記載の情報配信システム。
【請求項４】
前記通知日設定部は、前記一定日時前として、複数の日時を設定可能とされている、請求項１〜３の何れか一項に記載の情報配信システム。
【請求項５】
前記スポット表示制御部は、同一のスポットが重複して表示の対象となる場合は、当該スポットに関する重複分の表示を回避するよう制御する、請求項１〜４の何れか一項に記載の情報配信システム。
【請求項６】
前記スポット表示制御部は、表示順が同じとなる複数のスポットについては、当該スポットで開催されるイベントの開始日および終了日のうち少なくとも一方が現在日時に近い方を優先して表示するよう制御する、請求項１〜５の何れか一項に記載の情報配信システム。
【請求項７】
情報配信システムによって実行される情報配信方法であって、
所定のスポットで開催される期間限定のイベントに関するイベント情報を取得するステップと、
前記イベントの開始日および終了日のうち少なくとも一方に対し一定日時前の日付を、当該イベントが開催されるスポットの通知日として設定するステップと、
設定された通知日が現在日時以前であるスポットを、当該スポットで開催されるイベント情報とともに、通知日が新しい順に、表示するよう制御するステップと、
を備える情報配信方法。
【発明の詳細な説明】
【技術分野】
【０００１】
本発明は、スポット情報およびイベント情報を配信する情報配信システムおよび情報配信方法に関する。
【背景技術】
【０００２】
ユーザへ興味のあるイベント情報を配信するシステムとして、ユーザの位置情報に基づいて、現在地のイベント情報を配信するシステムが知られている（下記特許文献１参照）。ただ、このシステムでは，ユーザ自身が過去に訪問したスポットのイベントが把握できるだけであり、対象の範囲が狭いといえる。
【０００３】
一方で、近年は、Facebook（登録商標）などのソーシャルネットワーキングサービス（以下「ＳＮＳ」という）が広く普及しつつあり、ＳＮＳのユーザは、ＳＮＳにおける友人が過去に訪問したスポット（レストランや遊園地等）に関する住所、連絡先、訪問時の感想等を含むスポット情報を参照可能である。
【先行技術文献】
【特許文献】
【０００４】
【特許文献１】特開２００６−２４３９２１号公報
【発明の概要】
【発明が解決しようとする課題】
【０００５】
しかし、上記のＳＮＳにおけるスポット情報は、レストランや遊園地等の各種スポットに関する静的な情報にすぎず、現状では、当該スポットにて期間限定で開催されるイベント情報を簡易に取得することは少々困難である。また、ＳＮＳにおけるスポット情報は大量に存在する場合もあり、かかる場合、携帯端末の小さな画面に大量のスポット情報を一度に表示することは困難である。
【０００６】
そこで、本発明は、イベント情報を含んだスポット情報をユーザに効率的に配信することを目的とする。
【課題を解決するための手段】
【０００７】
本発明に係る情報配信システムは、所定のスポットで開催される期間限定のイベントに関するイベント情報を取得するイベント情報取得部と、前記イベントの開始日および終了日のうち少なくとも一方に対し一定日時前の日付を、当該イベントが開催されるスポットの通知日として設定する通知日設定部と、設定された通知日が現在日時以前であるスポットを、当該スポットで開催されるイベント情報とともに、通知日が新しい順に、表示するよう制御するスポット表示制御部と、を備える。
【０００８】
上記のような情報配信システムでは、イベント情報取得部が、所定のスポットで開催される期間限定のイベントに関するイベント情報を取得する。ここで取得されるイベント情報は、各スポットにつき１つのイベント情報とは限定されず、複数のイベント情報であってもよい。次に、通知日設定部が、イベントの開始日および終了日のうち少なくとも一方に対し一定日時前の日付を、当該イベントが開催されるスポットの通知日として設定する。そして、スポット表示制御部が、設定された通知日が現在日時以前であるスポットを、当該スポットで開催されるイベント情報とともに、通知日が新しい順に表示するよう制御する。これにより、イベントの開始日および終了日のうち少なくとも一方に対し一定日時前の日付、即ち、当該イベントが開催されるスポットの通知日を基準として、当該通知日が現在日時以前であるスポットが、当該スポットで開催されるイベント情報とともに、通知日の新しい順に表示される。そのため、さまざまなスポットにて期間限定で開催されるイベント情報を簡易に取得でき、当該イベント情報を含んだスポット情報をユーザに効率的に配信することができる。
【０００９】
上記のような情報配信システムは、ソーシャルネットワーキングサービス（ＳＮＳ）において、利用ユーザに対し所定の親しい関係にある他のユーザによって投稿された、特定のスポットへの訪問日時を含む訪問情報を取得する訪問情報取得部、をさらに備え、イベント情報取得部は、訪問情報取得部により訪問情報が取得されたスポットで開催されるイベント情報を取得し、スポット表示制御部は、訪問情報取得部により訪問情報が取得されたスポットを、当該スポットで開催されるイベント情報とともに、現在日時以前である通知日又は訪問日時が新しい順に、表示するよう制御してもよい。この場合、ＳＮＳにおいて利用ユーザに対し所定の親しい関係（例えば、ＳＮＳ内の友人関係など）にある他のユーザによって投稿された訪問情報に対応したスポット（即ち、他のユーザが訪問したスポット）が特定され、当該スポットが、そこで開催されるイベント情報とともに、現在日時以前である通知日又は訪問日時が新しい順に表示される。そのため、ＳＮＳにおいて所定の親しい関係にある他のユーザが訪問したスポットを対象として、イベント情報を含んだスポット情報が利用ユーザに配信され、利用ユーザが興味を持つ可能性が高いスポット情報およびイベント情報を利用ユーザに効率的に配信することができる。
【００１０】
また、上記の情報配信システムは、利用ユーザの現在地又は利用ユーザにより指定された任意の指定位置を基準位置として設定する基準位置設定部、をさらに備え、スポット表示制御部は、表示されるスポットを、基準位置設定部により設定された基準位置から所定距離の範囲内又は予め定められた区画分けにおいて当該基準位置と同じ区画に含まれるスポットに限定するよう制御してもよい。上記の「区画」としては、例えば、市区町村といった行政区画であってもよいし、情報配信に係るサービス提供者等が独自に設定した区画（例えばｉエリア（登録商標））であってもよい。この場合、設定された基準位置（即ち、利用ユーザの現在地又は利用ユーザにより指定された任意の指定位置）から所定距離の範囲内又は予め定められた区画分けにおいて当該基準位置と同じ区画に含まれるスポットに、表示されるスポットが限定される。そのため、エリアを限定して、スポット情報およびイベント情報を利用ユーザに効率的に配信することができる。
【００１１】
ところで、通知日設定部は、一定日時前として、複数の日時を設定可能としてもよい。この場合、イベントが開催されるスポットの通知日として、複数の日（例えば、イベント開始日の「１か月前の日」と「前日」）を設定可能となり、通知を複数回実施できる。例えば、「最初の通知」以外に、「イベント開始（又はイベント終了）の直前に行うユーザへのリマインダ」といった臨機応変な通知も可能となる。
【００１２】
また、スポット表示制御部は、同一のスポットが重複して表示の対象となる場合は、当該スポットに関する重複分の表示を回避するよう制御してもよく、同一のスポットの重複表示を防止し、効率的な情報配信を実現できる。なお、同一のスポットが重複して表示の対象となる場合としては、例えば、同一のスポットについての通知日と訪問日時とが近接する又は同じ日となるケース（例えば、あるスポットのイベント開始日から一定日時前の日と当該スポットへの訪問日とが近接する又は同じ日となるケース）や、同一のスポットについての複数の通知日が近接する又は同じ日となるケース（例えば、イベント開始日と終了日の両方から一定日時前の日付を通知日として設定する場合に、同一のスポットにおける第１のイベントの開始日から一定日時前の日と第２のイベントの終了日から一定日時前の日とが近接する又は同じ日となるケース）等が挙げられる。
【００１３】
さらに、スポット表示制御部は、表示順が同じとなる複数のスポットについては、当該スポットで開催されるイベントの開始日および終了日のうち少なくとも一方が現在日時に近い方を優先して表示するよう制御してもよい。この場合、表示順が同じとなる複数のスポットでは、当該スポットで開催されるイベントの開始日および終了日のうち少なくとも一方が現在日時に近い方が、優先して表示されるため、直近のものを優先した効率的な情報配信を実現できる。
【００１４】
ところで、情報配信システムに係る本発明は、情報配信システムによって実行される情報配信方法に係る発明として捉えることができ、以下のように記述することができる。
【００１５】
本発明に係る情報配信方法は、情報配信システムによって実行される情報配信方法であって、所定のスポットで開催される期間限定のイベントに関するイベント情報を取得するステップと、前記イベントの開始日および終了日のうち少なくとも一方に対し一定日時前の日付を、当該イベントが開催されるスポットの通知日として設定するステップと、設定された通知日が現在日時以前であるスポットを、当該スポットで開催されるイベント情報とともに、通知日が新しい順に、表示するよう制御するステップと、を備える。
【発明の効果】
【００１６】
本発明によれば、さまざまなスポットにて期間限定で開催されるイベント情報を簡易に取得でき、当該イベント情報を含んだスポット情報をユーザに効率的に配信することができる。
【図面の簡単な説明】
【００１７】
【図１】発明の実施形態に係る情報配信端末の機能ブロック構成図である。
【図２】情報配信端末のハードウェア構成の一例を示す図である。
【図３】訪問情報の一例を示す図である。
【図４】イベント情報の一例を示す図である。
【図５】格納された通知日情報の一例を示す図である。
【図６】スポット情報の一例を示す図である。
【図７】処理フローを示す図である。
【図８】表示例を示す図である。
【図９】変形例に係る情報配信システムの機能ブロック構成図である。
【発明を実施するための形態】
【００１８】
以下、図面を用いて発明の実施形態を説明する。本発明に係る情報配信システムは、単体の装置により構成してもよいし、複数の装置群（例えば相互に通信可能なサーバおよびクライアント端末など）により構成してもよい。ここでは、情報配信システムが、図１に示す単体の情報配信端末１０により構成された例を説明する。但し、情報配信システムを複数の装置群により構成した例は、図９を用いて後述する。
【００１９】
［情報配信端末（情報配信システム）の構成］
図１に示すように、情報配信端末１０は、訪問情報取得部１１、イベント情報取得部１２、通知日設定部１３、基準位置設定部１４、スポット表示制御部１５、訪問情報格納部１６、イベント情報格納部１７、通知日格納部１８、およびスポット情報格納部１９を備えている。以下、各部の機能について説明する。
【００２０】
訪問情報格納部１６は、ＳＮＳにおいて利用ユーザに対し所定の親しい関係（例えばフェイスブック（登録商標）における友達関係など）にある他のユーザによって投稿された、特定のスポットへの訪問日時を含む以下のような訪問情報（いわゆるチェックイン情報）を格納したデータベースである。訪問情報（いわゆるチェックイン情報）として、例えば図３に示すように、訪問（チェックイン）を識別するためのチェックインＩＤ、訪問先のスポットを識別するためのスポットＩＤ、訪問日時、訪問したユーザを識別するためのユーザＩＤ、および、ユーザにより投稿されたコメントが格納されている。なお、訪問情報格納部１６には、最新の訪問情報がＳＮＳにより随時又は定期的に外部から提供され格納されるものとする。訪問情報格納部１６では、必要な記憶領域の膨大化を防ぐため、訪問日時から所定の期間（例えば３か月など）が経過した訪問情報を削除してもよい。
【００２１】
訪問情報取得部１１は、訪問情報格納部１６から上記訪問情報を取得する。
【００２２】
イベント情報格納部１７は、さまざまなスポットで開催される期間限定のイベントに関する以下のようなイベント情報を格納したデータベースである。イベント情報として、例えば図４に示すように、イベントを識別するためのイベントＩＤ、イベント名、イベント開始日、イベント終了日、および、当該イベントが開催されるスポットを識別するためのスポットＩＤが格納されている。なお、イベント情報格納部１７では、終了したイベント（イベント終了日を過ぎたイベント）に関するイベント情報が削除され、新たなイベント情報が随時又は定期的に外部から提供され格納されるものとする。
【００２３】
イベント情報取得部１２は、訪問情報取得部１１により訪問情報が取得されたスポットで開催されるイベント情報を、イベント情報格納部１７から取得する。ここで取得されるイベント情報は、各スポットにつき１つのイベント情報とは限定されず、複数のイベント情報であってもよい。
【００２４】
通知日設定部１３は、イベントの開始日および終了日のうち少なくとも一方に対し一定日時前の日付を、当該イベントが開催されるスポットの通知日として設定し、設定した通知日情報を後述の通知日格納部１８に格納する。なお、本実施形態では、通知日設定部１３が、「イベントの開始日」に対し一定日時前の日付を、当該イベントが開催されるスポットの通知日として設定する例を説明するが、「イベントの開始日」に代わり「イベントの終了日」を採用してもよいし、「イベントの開始日と終了日の両方」を採用してもよい。また、「一定日時前」としては、６時間前、前日、１週間前、１５日前、３０日前など、さまざまな設定値を設定可能であり、また、１つの設定値に限らず、複数の設定値を設定可能である。本実施形態では、「一定日時前」として、１５日前と３０日前の２つの設定値を設定する例を説明する。
【００２５】
通知日格納部１８は、イベントが開催されるスポットの通知日に関する通知日情報を格納するためのデータベースである。通知日情報としては、一例として図５に示すように、通知日設定部１３により設定された「通知日」が上述した図４のイベント情報に対応付けられたものを採用してもよい。
【００２６】
スポット情報格納部１９は、さまざまなスポットに関するスポット名、位置情報、住所情報、電話番号情報などを含む以下のようなスポット情報を格納したデータベースである。スポット情報として、例えば図６に示すように、スポットを識別するためのスポットＩＤ、スポット名、スポットの位置情報（ここでは緯度、経度）、住所、電話番号が格納されている。なお、スポット情報格納部１９には、最新のスポット情報が随時又は定期的に外部から提供され格納されるものとする。
【００２７】
基準位置設定部１４は、利用ユーザの現在地又は利用ユーザにより指定された任意の指定位置を基準位置として設定する。例えば、基準位置設定部１４は、情報配信端末１０が備える図示しないＧＰＳ測位部から情報配信端末１０の位置情報、即ち、利用ユーザの現在地情報を取得し、当該現在地を基準位置として設定してもよい。また、あるスポットが利用ユーザにより指定された場合、基準位置設定部１４は、指定されたスポットの位置情報をスポット情報格納部１９から取得し、当該スポットの位置情報を基準位置として設定してもよい。また、利用ユーザが地図上で指定した位置や、地名・施設名等で指定した位置を基準位置として設定してもよい。
【００２８】
スポット表示制御部１５は、訪問情報取得部１１により訪問情報が取得されたスポットを、当該スポットで開催されるイベント情報とともに、現在日時以前である通知日又は訪問日時が新しい順に、表示するよう制御する。その際、スポット表示制御部１５は、さらに、表示されるスポットを、基準位置設定部１４により設定された基準位置から所定距離の範囲内又は予め定められた区画分けにおいて当該基準位置と同じ区画に含まれるスポットに限定するよう制御してもよい。上記の「区画」としては、例えば、市区町村といった行政区画であってもよいし、情報配信に係るサービス提供者等が独自に設定した区画（例えばｉエリア（登録商標））であってもよい。なお、スポット表示制御部１５による制御については、後に説明する。スポット表示制御部１５は、スポットの表示順序を決定するスポット表示順序決定部１５Ａと、決定された表示順序でスポットを表示する表示部１５Ｂとを含む。
【００２９】
情報配信端末１０は、ハードウェアとしては通常の情報通信装置の基本構成と同様であり、特別なハードウェア構成を必要とするものではない。例えば、図２に示すように、情報配信端末１０は、ＣＰＵ１０Ａ、ＲＡＭ１０Ｂ、ＲＯＭ１０Ｃ、キーボードやマウス等の入力装置１０Ｄ、外部との通信を行う通信装置１０Ｅ、ハードディスク等の補助記憶装置１０Ｆ、および、ディスプレイやプリンタ等の出力装置１０Ｇを備える。
【００３０】
［情報配信方法に係る処理］
以下、図７を用いて情報配信方法に係る処理を説明する。なお、この処理の開始トリガーは特定のものに限定されず、例えば情報配信端末１０における所定のユーザ操作などを開始トリガーとしてもよい。
【００３１】
まず、訪問情報取得部１１が、訪問情報格納部１６から訪問情報を取得し（図７のステップＳ１）、イベント情報取得部１２が、訪問情報取得部１１により訪問情報が取得されたスポットで開催されるイベント情報をイベント情報格納部１７から取得する（ステップＳ２）。そして、通知日設定部１３が、イベントの開始日および終了日のうち少なくとも一方に対し一定日時前の日付を、当該イベントが開催されるスポットの通知日として設定する（ステップＳ３）。設定された通知日情報は通知日格納部１８に格納される。上述したように本実施形態では、通知日設定部１３が、「イベントの開始日」に対し一定日時前の日付を、当該イベントが開催されるスポットの通知日として設定し、「一定日時前」として１５日前と３０日前の２つの設定値を設定する例を説明する。このように複数の設定値を設定することで、利用ユーザへの複数回の通知を実施できる。
【００３２】
例えば、ステップＳ１にて、図３に示す４つの訪問情報が取得されたとすると、ステップＳ２では、当該訪問情報に含まれるスポットＩＤ（S001〜S004）に関するイベント情報が、訪問情報が取得されたスポットで開催されるイベント情報として取得される。つまり、スポットＩＤとして、S001〜S004を含んだ図４に示す４つのイベント情報が取得される。ステップＳ３では、各イベント情報について、イベント開始日から１５日前の日付および３０日前の日付が、当該イベントが開催されるスポットの通知日として設定される。例えば、図５に示すように、イベントＩＤがE001のイベント情報については、イベント開始日（２０１３年６月１３日）から１５日前の日付（２０１３年５月２９日）および３０日前の日付（２０１３年５月１４日）が通知日として設定され、設定された通知日情報は通知日格納部１８に格納される。イベントＩＤがE002〜E004のイベント情報についても同様である。
【００３３】
次に、基準位置設定部１４が、利用ユーザの現在地又は利用ユーザにより指定された任意の指定位置を基準位置として設定する（ステップＳ４）。ここでは、基準位置設定部１４は、情報配信端末１０が備える図示しないＧＰＳ測位部から情報配信端末１０の位置情報（利用ユーザの現在地情報）を取得し、当該現在地を基準位置として設定してもよいし、あるスポットが利用ユーザにより指定された場合、基準位置設定部１４は、指定されたスポットの位置情報を図６のスポット情報格納部１９から取得し、当該スポットの位置情報を基準位置として設定してもよい。また、利用ユーザが地図上で指定した位置や、地名・施設名等で指定した位置を基準位置として設定してもよい。
【００３４】
そして、スポット表示制御部１５が、訪問情報取得部１１により訪問情報が取得されたスポットを、当該スポットで開催されるイベント情報とともに、現在日時以前である通知日又は訪問日時が新しい順に、表示するよう制御する（ステップＳ５、Ｓ６）。具体的には、スポット表示順序決定部１５Ａがスポットの表示順序を以下のようにして決定する（ステップＳ５）。即ち、スポット表示順序決定部１５Ａは、スポットの表示順序を、「現在日時以前である通知日」又は「訪問日時」が新しい順とする。
【００３５】
例えば、現在日時が２０１３年５月１５日で、図５に示すように４つのイベントの開催スポット（S001〜S004）に係る通知日が設定された場合、スポットS001に関する「現在日時以前である通知日」が２０１３年５月１４日、「訪問日時」が２０１３年５月１０日となり、スポットS002に関する「現在日時以前である通知日」が２０１３年５月１２日、「訪問日時」が２０１３年５月５日となり、スポットS003に関する「現在日時以前である通知日」が２０１３年５月１２日、「訪問日時」が２０１３年５月１３日となり、スポットS004に関する「現在日時以前である通知日」が２０１３年５月１２日と２０１３年４月２７日、「訪問日時」が２０１３年５月３日となる。上記スポットS001〜S004を、「現在日時以前である通知日」又は「訪問日時」が新しい順に並べると、表示順序の第１番目は「現在日時以前である通知日」が２０１３年５月１４日であるS001、第２番目は「訪問日時」が２０１３年５月１３日であるS003となる。その次は、「現在日時以前である通知日」が２０１３年５月１２日であるS002とS004とが並ぶ。このように表示順序が同じとなる複数のスポットについては、スポット表示順序決定部１５Ａは、各スポットで開催されるイベントの開始日および終了日のうち少なくとも一方（ここでは一例として「イベントの開始日」）が現在日時に近い方を優先する。そのため、S002とS004においては、イベントの開始日が現在日時により近いS004が優先されて表示順序の第３番目となり、S002が第４番目となる。これにより、イベントの開始日が現在日時に近い方を優先した効率的な情報配信を実現できる。なお、「イベントの終了日」が現在日時に近い方を優先する場合は、イベントの終了前のより早い時点でユーザに情報配信でき、ユーザの便宜向上を図ることができる。
【００３６】
さらに、スポット表示順序決定部１５Ａは、表示されるスポットを、ステップＳ４で設定された基準位置から所定距離の範囲内又は予め定められた区画分けにおいて当該基準位置と同じ区画に含まれるスポットに限定してもよく、その場合は、エリアを限定して、スポット情報およびイベント情報を利用ユーザに効率的に配信することができる。ただし、ここでは、特にエリアによる限定を行わない例を説明する。
【００３７】
以上のようにしてスポット表示順序決定部１５Ａにより複数のスポットの表示順序が決定された後、表示部１５Ｂは、決定された表示順序で、複数のスポットを、当該スポットで開催されるイベント情報とともに表示する（ステップＳ６）。例えば、図８（ａ）に示すように、表示部１５Ｂは、表示順序第１番目のスポットＩＤ（S001）のスポット「Ａ動物園」を、当該スポットで開催されるイベント情報「6/13からパンダとのふれあい会を開催」とともに表示する。以下、表示部１５Ｂは、表示順序に沿って、第２番目のスポットＩＤ（S003）のスポット「Ｃショッピングモール」、第３番目のスポットＩＤ（S004）のスポット「Ｄ動物園」、第４番目のスポットＩＤ（S002）のスポット「Ｂ遊園地」を、それぞれのスポットで開催されるイベント情報とともに表示する。
【００３８】
なお、スポットS003については、「訪問日時」が２０１３年５月１３日である一方で、「現在日時以前である通知日」が２０１３年５月１２日であるため、「通知日：２０１３年５月１２日」としても表示の対象となりうる。しかし、スポット表示順序決定部１５Ａは、同一のスポットが重複して表示の対象となる場合は、当該スポットに関する重複分の表示を回避するよう制御する。そのため、スポットS003に関するスポット情報およびイベント情報は、図８（ａ）に示すように、「訪問日（チェックイン日）：２０１３年５月１３日」として１つのみ表示される。このように同一のスポットの重複表示を防止し、効率的な情報配信を実現できる。なお、同一のスポットが重複して表示の対象となる場合としては、例えば、同一のスポットについての通知日と訪問日時とが近接する又は同じ日となるケース（例えば、あるスポットのイベント開始日から一定日時前の日と当該スポットへの訪問日とが近接する又は同じ日となるケース）や、同一のスポットについての複数の通知日が近接する又は同じ日となるケース（例えば、イベント開始日と終了日の両方から一定日時前の日付を通知日として設定する場合に、同一のスポットにおける第１のイベントの開始日から一定日時前の日と第２のイベントの終了日から一定日時前の日とが近接する又は同じ日となるケース）等が挙げられる。
【００３９】
また、表示部１５Ｂによる表示方法は、さまざまな方法を採用でき、図８（ａ）のように上から下へ表示順に並べて表示する以外に、例えば図８（ｂ）のように地図上に複数のスポットをその所在地（住所）に応じて表示してもよい。その場合、地図上の各スポットの所在地にアイコンを表示しつつ、地図の下の情報表示欄に、デフォルトの表示として、表示順序第１番目のスポットＩＤ（S001）のスポット「Ａ動物園」および当該スポットのイベント情報「6/13からパンダとのふれあい会を開催」を表示してもよい。その際、当該スポット「Ａ動物園」（スポットＩＤ：S001）の訪問情報に含まれる「コメント情報」を、当該スポットのイベント情報に付加して表示してもよく、この場合、友達のコメント情報を参考にして、当該スポットを訪問するかどうかを決めることができる。なお、その他のスポットについては、地図上のアイコンをタップすることで当該スポットのイベント情報を表示させればよい。また、図８（ｂ）の例のように、地図上に、基準位置設定部１４により設定された基準位置（ここでは一例として、利用ユーザの現在地）を表示してもよい。
【００４０】
以上説明した本実施形態によれば、ＳＮＳにおいて所定の親しい関係にある他のユーザが訪問したスポットを対象として、イベント情報を含んだスポット情報が利用ユーザに配信され、利用ユーザが興味を持つ可能性が高いスポット情報およびイベント情報を利用ユーザに効率的に配信することができる。
【００４１】
なお、上記実施形態では、ステップＳ１にて、ＳＮＳにおいて所定の親しい関係にある他のユーザの訪問情報を取得し、該訪問情報から得られるスポットを対象としたが、対象となるスポットをこのように限定することは必須要件ではなく、例えば、所在地（住所）に応じて「地域的に限定」してもよいし、動物園のみに限定といった「スポットの種類に応じて限定」してもよいし、さらに、複数の条件を組み合わせてもよい。このような場合でも、さまざまなスポットにて期間限定で開催されるイベント情報を簡易に取得でき、当該イベント情報を含んだスポット情報をユーザに効率的に配信することができる。
【００４２】
また、上記実施形態では、本発明に係る情報配信システムが、図１に示す単体の装置（情報配信端末１０）により構成された例を説明したが、情報配信システムを、単体の装置により構成することは必須ではなく、複数の装置群により構成してもよい。
【００４３】
例えば、図９に示すように、情報配信システム２０を、相互に通信可能な情報配信端末２０Ａおよび情報管理サーバ２０Ｂにより構成してもよい。情報管理サーバ２０Ｂは、図１に示す構成要素のうち、訪問情報格納部１６、イベント情報格納部１７およびスポット情報格納部１９を備え、さらに、情報配信端末２０Ａと通信するための通信部２２を備える。情報配信端末２０Ａは、図１に示す構成要素のうち、訪問情報取得部１１、イベント情報取得部１２、通知日設定部１３、基準位置設定部１４、スポット表示制御部１５および通知日格納部１８を備え、さらに、情報管理サーバ２０Ｂと通信するための通信部２１を備える。このような構成では、訪問情報取得部１１は訪問情報の取得要求を情報管理サーバ２０Ｂ内の訪問情報格納部１６に送信し、訪問情報格納部１６から訪問情報を取得する。その際、訪問情報の取得要求および訪問情報は、通信部２１、２２を介して情報配信端末２０Ａと情報管理サーバ２０Ｂ間で送受信される。訪問情報以外に、イベント情報やスポット情報も同様である。
【００４４】
上記のような構成の図９の情報配信システム２０では、図１の情報配信端末１０と同様に、図７の処理が実行され、同様の作用・効果が得られる。
【符号の説明】
【００４５】
１０…情報配信端末（情報配信システム）、１０Ａ…ＣＰＵ、１０Ｂ…ＲＡＭ、１０Ｃ…ＲＯＭ、１０Ｄ…入力装置、１０Ｅ…通信装置、１０Ｆ…補助記憶装置、１０Ｇ…出力装置、１１…訪問情報取得部、１２…イベント情報取得部、１３…通知日設定部、１４…基準位置設定部、１５…スポット表示制御部、１５Ａ…スポット表示順序決定部、１５Ｂ…表示部、１６…訪問情報格納部、１７…イベント情報格納部、１８…通知日格納部、１９…スポット情報格納部、２０…情報配信システム、２０Ａ…情報配信端末、２０Ｂ…情報管理サーバ、２１、２２…通信部。
【図１】
2014238759.tif 000003
【図２】
2014238759.tif 000004
【図３】
2014238759.tif 000005
【図４】
2014238759.tif 000006
【図５】
2014238759.tif 000007
【図６】
2014238759.tif 000008
【図７】
2014238759.tif 000009
【図８】
2014238759.tif 000010
【図９】
2014238759.tif 000011